(57)【特許請求の範囲】
【請求項１】
流動物からなる試料を、その本体上に粘着テープを取付けてなる支持基板にしみ込ませない状態で、この粘着テープの粘着面に前記試料を塗布することにより前記支持基板に保持し、
前記試料に１次Ｘ線を照射して、この試料からの２次Ｘ線を分析するＸ線分析方法。
【発明の詳細な説明】
【０００１】
【発明の属する技術分野】
本発明は、重油、潤滑油、グリース、原油、残渣油など粘性のある石油製品やその他流動物に含まれるナトリウム（Ｎａ）やマグネシウム（Ｍｇ）およびフッ素（Ｆ）などの微量軽元素を分析するとき、好適に使用されるＸ線分析方法に関するものである。
【０００２】
【従来の技術】
従来、液状の試料をＸ線分析する方法として、
（１）分析窓を用いる方法、
（２）濾紙点滴方法、
（３）液状の試料を固化して分析する固化方法、
が知られている。前記第３の固化方法は、本願出願人が先に、特願平６ー３３９４３５号において提案した。
【０００３】
上記第１の方法は、図５に示すように、上下が開放された筒状のホルダ３０を用い、このホルダ３０内にＰＰフィルムやＰＥフィルムなどのポリマーシート３１を挿入し、このシート３１内に液状の試料３２を装填させる。そして、前記ホルダ３０の下方開口部３３からシート３１に向けて１次Ｘ線を照射し、試料３２から放射される２次Ｘ線を検出する。
【０００４】
上記第２の方法は、図６に示すように、吸収性に富む濾紙３４を用い、この濾紙３４に液状の試料３２を滴下させて乾燥させ、真空下で濾紙３４に吸着された試料３２を同様にしてＸ線分析する。
【０００５】
上記第３の方法は、液状の試料と固化剤を加熱溶解させながら、両者を均一に混合する。続いて、金属板に広げられたフィルム上に金属製リングを置き、その内部に前記混合溶液を流し込んで冷却硬化させる。冷却後、上記フィルムを剥がして、図７で示すように、周囲にリング３５が残る固体試料３６を形成する。
【０００６】
そして、同図のように、上部に開口部３７をもつホルダ本体３８と、その内部に配置され、コイルばね３９により開口部３７側に常時付勢された中空カップ４０からなる試料ホルダ４１を用い、そのカップ４０とホルダ本体３８の開口部３７側との間に、前記固体試料３６を、そのフィルムが剥離された均一な面を開口部３７から露出させた状態で保持する。この後、前記ホルダ本体３８の開口部３７から固体試料３６を同様にしてＸ線分析する。
【０００７】
【発明が解決しようとする課題】
ところが、以上のような各方法は、次のような問題がある。先ず、第１の方法では、ホルダ３０内のポリマーシート３１により試料３２からの２次Ｘ線が吸収されて、感度が低下するため、Ｘ線分析の精度が低下する。特に、Ｎａ以下の軽元素を分析する場合には、軽元素からの２次Ｘ線がポリマーシート３１で吸収される量が多くなるため、分析が困難となる。
【０００８】
第２の方法では、試料３２が油性のものや高粘度の場合、この試料３２を濾紙３４上に保持するのが困難であり、また、試料３２によっては、成分の一部が濾紙３４中にしみ込んで試料濃度が変わったり、濃度が部分的に不均一な試料となるので、正確なＸ線分析が困難になる。
【０００９】
第３の方法は、油などの試料の分析には適しているが、試料に含まれた固化剤によって試料が希釈されるので、その分だけ感度が低下する。しかも、試料と固化剤とにより固体試料３６を形成したとき、この固体試料３６が厚くなるので、試料３６からの２次Ｘ線に含まれるバックグランド成分が大きくなって、やはりＸ線分析の精度を低下させる。
【００１０】
特に、最近では、重油、潤滑油、グリース、原油、残渣油などの石油製品に含まれる低レベル濃度（ｐｐｍ単位）のＮａを正確に分析することが要求されているが、以上の何れの方法によっても対応できなかった。
【００１１】
本発明の目的は、粘性のある石油製品やその他流動物に微量に含まれる各種元素を正確に分析できるＸ線分析方法を提供することにある。
【００１２】
【課題を解決するための手段】
上記目的を達成するため、本発明は、流動物からなる試料を、その本体上に粘着テープを取付けてなる支持基板にしみ込ませない状態で、この粘着テープの粘着面に試料を塗布することにより支持基板に保持して、この試料のＸ線分析を行う。
本発明によれば、流動物からなる試料が支持基板にしみ込まない状態で粘着テープの粘着力により保持されて、Ｘ線分析が行われるので、試料濃度が変化したり、また、この試料からの２次Ｘ線が吸収されることもなく、試料分析が正確に行われる。このため、石油製品やその他の流動物に含まれる微量軽元素のＸ線分析に最適となる。
【００１３】
さらに、試料が粘性の高い石油製品の場合でも、その他粘性の低い流動物であっても、粘着テープの粘着面への塗布により支持基板に確実に保持される。
【００１５】
【発明の実施の形態】
以下、本発明のＸ線分析方法について具体例を挙げて説明する。
図１は、本発明に使用するＸ線分析装置を示している。同装置は、一般的に使用されるものであって、装置本体１にＸ線管２とベリリウム窓３を取付け、内部に試料ホルダ４を設けるとともに、前記本体１の外方には分光結晶５と検出器６を配設している。
【００１６】
試料７は、重油や原油など粘性のある流動物からなるもので、この試料７を、支持基板８が持つ粘着力を利用して支持基板８上に保持させ、この支持基板８を前記試料ホルダ４に支持させている。装置本体１内は不純物によるノイズを抑制するためにＨｅガスで置換されており、この状態でＸ線管２からの１次Ｘ線を試料７に向けて照射し、この試料７からベリリウム窓３を経て放射される２次Ｘ線を分光結晶５で分光し、検出器６で検出する。
【００１７】
前記支持基板８は、厚み１ｍｍ程度のアクリル板からなる本体９の表面に両面粘着テープ１０を貼り付けたもので、これによって、支持基板８に粘着力が付加されている。このテープ１０の外表面側の粘着面１１に前記試料７が塗布されている。前記粘着テープ１０は、試料７をしみ込ませない特性を有し、かつ、測定誤差を招かないように、Ｎａ，Ｍｇ，Ｆなどの分析対象物を含まないものである。このようなテープ１０としては、有機物からなる市販されている種々のテープを使用できる。
【００１８】
つぎに、試料の作成方法について説明する。
例えば微量Ｎａを含む試料をＸ線分析する場合、以上のようにして、試料７を支持基板８に塗布した後、Ｈｅ置換でＮａ−Ｋαを測定する。このとき、分析線Ｎａ−Ｋαの臨界厚みは０．００３ｍｍ以上であるのに対し、前記流動物からなる試料７は、塗布により０．００３ｍｍ以上の厚みに支持基板８に確実に付着させることができるので、ほぼバルク試料と見なすことができて、厚みによる影響を受けない。また、後で詳述するように、従来の固化方法（試料３；固化剤１の混合比率で固化した場合）と比較し、感度が良好で、バックグランドも低くてＳ／Ｎ比を大きくでき、しかも、試料７を作成するときの再現性も良好である。このため、低レベル濃度のＮａを正確に測定できる。
【００１９】
しかも、前記支持基板８に取付けた粘着テープ１０の粘着面又は支持面に、試料７を塗布するだけの極めて簡単な作業により、この試料７がしみ込んだり外部流出したりすることなく前記支持基板８に確実かつ短時間で保持させることができる。また、前記試料７は、乾燥させることなくＸ線分析が行える。このため、試料７をＸ線分析するときの取扱性を簡便かつ良好にできる。
【００２０】
さらに、前記支持基板８に対する試料７の塗布量を、支持基板８から滴り落ちない程度に調整することにより、この試料７を下向きにして、下面側から照射する下面照射方式にも使用できる。
【００２１】
図３は、縦軸にＸ線強度（Ｉ）を、横軸にＮａ濃度（Ｗ）をとった微量Ｎａを含む試料の検量線（Ｎａ−Ｋα）を示している。同図の直線Ａは、厚み１ｍｍのアクリル板９上に粘着テープ１０により厚さ０．３ｍｍの試料７を保持し、試料７と支持基板８を合わせた全体厚みを１．３ｍｍとしてＸ線分析を行った場合の本発明方法による検量線を示し、また、直線Ｂは、試料３：固化剤１の混合比率で固化し、試料厚みを５ｍｍとしてＸ線分析を行った場合の従来の固化方法による検量線を比較例として示している。
【００２２】
前記検量線Ａ，Ｂは、
Ｗ（Ｎａ濃度）＝ｂ（感度の逆数）×Ｉ（Ｘ線強度）＋ｃ
の式によって求められる。この式の各項ｂ，ｃを実験結果に基づく測定値によって求めた結果を次表１に示す。なお、実験は、Ｎａの濃度が異なる４つの試料のそれぞれについて、同一条件で３回ずつ行って、その平均値を求めた。
【００２３】
【表１】
0003569711.tif 000002
【００２４】
以上の測定値から得られた図３の直線ＡおよびＢについて比較すると、検量Ｂは、前述のとおり、その試料の厚みが大となるため、検量線の式中ｃ項、つまりバックグランドが大となり、また、同式中ｂ項、つまり検量線の傾斜角度が大となって感度も低い。これに対し、検量Ａは、バックグランド（ｃ項）が小で感度（ｂ項）も良好になることが理解できる。さらに、表１で明らかなように、本発明方法の場合は、従来方法に較べて正確度（σ）も優れている。なお、この正確度  は、各試料の測定値と、これら測定値を直線近似して得られた検量線との差である。
【００２５】
なお、上記各実施形態において、例えば石油製品に含まれるＮａのＸ線分時析には、標準試料と分析試料の両方に、Ｎａに近い波長成分のＮｉ，Ｃｏ，Ｆｅなどの元素を添加して、いわゆる内標準をとることが好ましい。このようにすることにより、石油製品からなる試料中の共存元素による影響を低減でき、また、塗布面の不均一性による影響も少なくできる。
【００２６】
図４は他の実施形態を示す。同図において、支持基板８に、凸凹をもつ支持面１３を形成して、この支持面１３に前記試料７を塗布し、試料自身の粘着力で支持面１３に保持させている。支持基板８の外周囲は支持面１３よりも高く形成されており、これにより、支持面１３に塗布された試料７が外部に流出するのを一層確実かつ良好に防止できる。この実施形態も粘着テープを用いた前記実施形態と同一の効果を奏する。
【図面の簡単な説明】
【図１】本発明のＸ線分析方法に使用するＸ線分析装置の縦断面図である。
【図２】本発明の一実施形態を示す縦断面図である。
【図３】本発明と従来例の比較を示す検量線である。
【図４】同じく他の実施形態を示す縦断面図である。
【図５】第１の従来方法に用いるポリマーシートが設けられたホルダを示す縦断面図である。
【図６】第２の従来方法に用いる油状試料が滴下された濾紙を示す縦断面図である。
【図７】第３の従来方法に用いるホルダを示す縦断面図である。
【符号の説明】
７…試料、８…支持基板、１０…粘着テープ、１１…粘着面。１３…支持面
【図１】
0003569711.tif 000003
【図２】
0003569711.tif 000004
【図４】
0003569711.tif 000005
【図３】
0003569711.tif 000006
【図５】
0003569711.tif 000007
【図６】
0003569711.tif 000008
【図７】
0003569711.tif 000009